【手続補正書】
【提出日】平成30年7月18日(2018.7.18)
【手続補正１】
【補正対象書類名】特許請求の範囲
【補正対象項目名】全文
【補正方法】変更
【補正の内容】
【特許請求の範囲】
【請求項１】
第１の導電性表面と接触している第１のゲル化イオン液体フィルムであって、前記第１のゲル化イオン液体フィルムが、第１のゲルマトリックス中に封入された第１のイオン液体を含む第１のゲル化イオン液体フィルムと、
第２の導電性表面と接触している第２のゲル化イオン液体フィルムであって、前記第２のゲル化イオン液体フィルムが、第２のゲルマトリックス中に封入された第２のイオン液体を含む第２のゲル化イオン液体フィルムと、を含み、
前記第１と第２のゲル化イオン液体フィルムが相互に接触しており、かつ
前記第１のゲル化イオン液体フィルムが、追加の溶解レドックス種をさらに含み、前記溶解レドックス種がハロゲンである、電気化学セル。
【請求項２】
下記（ｉ）と（ｉｉ）のいずれか又は両方である：
（ｉ）前記第１および第２のイオン液体の一方又は両方が、ハロゲン、スルホニルイミド、カルボキシレート、およびフッ化リン酸アニオンからなる群から選択される１種または複数種のアニオンを含む；並びに
（ｉｉ）前記第１および第２のイオン液体の一方又は両方が、アルキルピリジニウム、ジアルキルイミダゾリウム、ジアルキルピロリジニウム、テトラアルキルホスホニウム、およびテトラアルキルアンモニウムカチオンからなる群から選択される１種または複数種のカチオンを含む；
請求項１に記載の電気化学セル。
【請求項３】
前記第１と第２の導電性表面が不活性電極である、請求項２に記載の電気化学セル。
【請求項４】
各不活性電極は、黒鉛（炭素）、ドープカーボンナノチューブ、非ドープカーボンナノチューブ、ドープグラフェン、非ドープグラフェン、グラフェン複合材料、カーボン紙、白金、金、またはチタンの内の１種または複数種を独立に含む、請求項３に記載の電気化学セル。
【請求項５】
前記第１の導電性表面が負極であり、かつ前記第２の導電性表面が正極である、請求項３に記載の電気化学セル。
【請求項６】
前記第１と第２のゲル化イオン液体フィルムが、相互に接触している場合に不混和性である、請求項１に記載の電気化学セル。
【請求項７】
前記第１および／または第２のゲル化イオン液体フィルムが、約５０μｍ〜約１０ｍｍの間の厚さを有する、請求項１に記載の電気化学セル。
【請求項８】
前記第１および／または第２の封入されたイオン液体が、以下の：
（ｉ）ブロミド、クロリド、ヨージド、ビス（トリフルオロメチルスルホニル）イミド、ビス（フルオロスルホニル）イミド、アセテート、プロピオネート、ペンタノエート、ヘキサノエート、ヘキサフルオロホスフェート、およびトリス（ペンタフルオロ）トリフルオロホスフェートからなる群から選択される１種または複数種のアニオン；並びに
（ｉｉ）１−ブチルピリジニウム、１−オクチルピリジニウム、１−（２−ヒドロキシエチル）ピリジニウム、１−エチル−３−メチルイミダゾリウム、１−ブチル−３−メチルイミダゾリウム、１−ペンチル−３−メチルイミダゾリウム、１−ヘキシル−３−メチルイミダゾリウム、１−（２−メトキシエチル）−３−メチルイミダゾリウム、１−（１−メトキシメチル）−３−メチルイミダゾリウム、１−メチル−３−オクチルイミダゾリウム、１−メチル−１−エチルピロリジニウム、１−メチル−１−ブチルピロリジニウム、１−メチル−１−ヘキシルピロリジニウム、１−（２−メトキシエチル）−１−メチルピロリジニウム、１−（１−メトキシメチル）−１−メチルピロリジニウム、テトラブチルホスホニウム、トリブチルオクチルホスホニウム、トリブチル（２−メトキシエチル）ホスホニウム、トリブチル−ｔｅｒｔ−ブチルホスホニウム、トリブチル（１−メトキシメチル）ホスホニウム、テトラエチルアンモニウム、テトラブチルアンモニウム、トリブチルオクチルアンモニウム、トリブチル（２−メトキシエチル）アンモニウム、トリブチル（１−メトキシメチル）アンモニウム、およびトリブチル−ｔｅｒｔ−ブチルアンモニウムからなる群から選択される１種または複数種のカチオン；
の少なくとも一方を含む、請求項１に記載の電気化学セル。
【請求項９】
前記第１および第２のゲルマトリックスが、ヒドロキシ置換有機化合物、多糖、ジペプチド、プロテイン、ポリマー、ポリ（フッ化ビニリデン−ｃｏ−ヘキサフルオロプロピレン）ポリマー、カーボンナノチューブ、非ドープまたはドープグラフェン、官能化シリカナノスフェア、およびシリカゾル−ゲルのいずれか１種または複数種から選択されるゲル化剤から形成される、請求項１に記載の電気化学セル。
【請求項１０】
前記第２のゲル化イオン液体フィルムが、
（ａ）Ｌｉ＋、Ｍｇ２＋、Ｚｎ２＋、Ｃｕ＋／２＋、Ｆｅ２＋／３＋、Ｃｏ２＋／３＋、Ｍｎ２＋、またはＣｒ３＋のアセテート、ナイトレート、スルフェート、またはトリフレート塩；
（ｂ）酸素、過マンガン酸塩、重クロム酸塩、過塩素酸塩、またはＬｉ＋、Ｋ＋、Ｃａ２＋、Ｎａ＋、またはＭｇ２＋のハライド塩；および
（ｄ）前記（ａ）と（ｂ）の混合物；
からなる群から選択される第２の溶解レドックス種をさらに含む、請求項１に記載の電気化学セル。
【請求項１１】
下記（ｉ）〜（ｉｉｉ）の１つ以上である：
（ｉ）前記第１および第２のゲル化イオン液体フィルムのいずれか又は両方が、２種以上の異なるイオン液体を含む；
（ｉｉ）前記第１および第２のゲル化イオン液体フィルムのいずれか又は両方が、一緒に共融混合物を形成する２種以上のカチオンおよび２種以上のアニオンを含む；並びに
（ｉｉｉ）前記第１および第２のゲル化イオン液体フィルムのいずれか又は両方が、電解質塩をさらに含む；
請求項１に記載の電気化学セル。
【請求項１２】
前記第１および第２のゲル化イオン液体フィルムのいずれか又は両方が、電解質塩をさらに含む、請求項１に記載の電気化学セル。
【請求項１３】
前記電解質塩が、前記第１のイオン液体と前記第２のイオン液体の少なくとも一方に可溶性である、請求項１２に記載の電気化学セル。
【請求項１４】
第３の導電性表面と接触している第３のゲル化イオン液体フィルムであって、前記第３のゲル化イオン液体フィルムが、第３のゲルマトリックス中に封入された第３のイオン液体を含む第３のゲル化イオン液体フィルムをさらに含み、かつ
前記第２と第３のゲル化イオン液体フィルムが少なくとも部分的に接触している、請求項１に記載の電気化学セル。
【請求項１５】
以下の少なくとも１つである：
・前記第２と第３のゲル化イオン液体フィルムが相互に不混和性である；および
・前記第１と第３の導電性表面が負極であり、かつ前記第２の導電性表面が正極である；
請求項１４に記載の電気化学セル。
【請求項１６】
請求項１に記載の電気化学セルを製造する方法であって、
第１の導電性表面と接触している第１の封入されたイオン液体を含む第１のゲル化イオン液体フィルムを提供すること；
第２の導電性表面と接触している第２の封入されたイオン液体を含む第２のゲル化イオン液体フィルムを提供すること；および
前記第１と第２のゲル化イオン液体フィルムを接触させること；
を含む方法。
【請求項１７】
前記提供することの少なくとも１つが：
適切な温度でゲル化剤をイオン液体と組み合わせて混合物を生成し、前記ゲル化剤を固めさせ、それにより前記イオン液体が封入されたゲル化イオン液体フィルムを形成させること；および
前記混合物または前記ゲル化イオン液体フィルムを導電性表面と接触させること；
を含む、請求項１６に記載の方法。
【請求項１８】
前記ゲル化剤を固めさせる前に前記混合物が前記導電性表面と接触される、請求項１７に記載の方法。
【請求項１９】
第３の導電性表面と接触している第３の封入されたイオン液体を含む第３のゲル化イオン液体フィルムを提供すること；および
前記第２と第３のゲル化イオン液体フィルムを接触させること；
をさらに含む、請求項１６に記載の方法。
【請求項２０】
前記ハロゲンが、臭素である、請求項１に記載の電気化学セル。